(57)【要約】【課題】洗い場用防水パン４、浴槽２、エプロン５を備えた浴室構造を浴槽用防水パン３を備えた構造へ容易に仕様変更できるようにすること。【解決手段】配置した洗い場用防水パン４と浴槽２とをエプロン５で水密に接合し、洗い場用防水パン４及び浴槽２の各縁部に設けた仕切部材用載置部に仕切部材６を載置し、エプロン５の洗い場側となる手前面の両側に仕切部材６を水密に当接し、浴室外空間Ｑに配置した浴槽用防水パン３の上に浴槽２を設置し、浴槽用防水パン３は、底壁３ａと底壁の四周から立設する起立周壁３ｂ〜３ｅとを一体に成形し、洗い場寄りとなる手前側を除く三方の起立周壁３ｂ〜３ｄの縁部と、三方の起立周壁より背丈の低い手前側の起立周壁の縁部３ｅとで接合用口部３ｆを形成し、接合用口部３ｆを形成するこれら縁部を、洗い場用防水パン４、浴槽２及びエプロン５の浴室外空間Ｑに面する部分に水密に接合したものである。【選択図】図４
2008169599.tif 000002
【特許請求の範囲】
【請求項１】
配置した洗い場用防水パンと浴槽とを、覆蓋できる作業口を有するエプロンで水密に接合し、洗い場用防水パン及び浴槽の各縁部に設けた仕切部材用載置部に壁パネル等の仕切部材を載置し、エプロンの洗い場側となる手前面の両側に仕切部材を水密に当接し、洗い場用防水パン、浴槽、エプロン及び仕切部材で浴室内空間と浴室外空間とに区画した浴室構造において、浴室外空間に配置した浴槽用防水パンの上に前記浴槽を設置し、浴槽用防水パンは、底壁と底壁の四周から立設する起立周壁とを一体に成形し、洗い場寄りとなる手前側を除く三方の起立周壁の縁部と、三方の起立周壁より背丈の低い手前側の起立周壁の縁部とで接合用口部を形成し、該接合用口部を形成するこれら縁部を、洗い場用防水パン、浴槽及びエプロンの浴室外空間に面する部分の対応する箇所に水密に接合したものであり、浴槽用防水パン、浴槽及びエプロンで囲まれる囲繞空間を浴槽裏側に形成したことを特徴とする浴室構造。
【請求項２】
前記洗い場用防水パンの浴室外空間へ延設した接合片に、前記浴槽用防水パンの手前側の起立周壁の縁部に設けた接合片を接合し、前記エプロンの浴室外空間へ延設した接合片に、前記浴槽用防水パンの三方の起立周壁のうちの対峙する両方の起立周壁の手前側の縁部に設けた接合片を接合し、前記浴槽の浴室外空間に面する箇所に、前記浴槽用防水パンは三方の起立周壁の上方側の縁部を接合した請求項１記載の浴室構造。
【請求項３】
前記洗い場用防水パンの浴室外空間へ延設した接合片、前記浴槽用防水パンの手前側の起立周壁の縁部に設けた接合片、及び、前記エプロンの下方側に設けた接合片の三つをボルト・ナットからなる連結具で一緒に連結した請求項２記載の浴室構造。
【発明の詳細な説明】
【技術分野】
【０００１】
本発明は、洗い場用防水パン、壁パネル、浴槽及びエプロンを用いて浴室を構築する浴室構造の改良に関するものである。
【背景技術】
【０００２】
浴室構造には、設置した洗い場用防水パンと浴槽とを、覆蓋できる作業口を有するエプロンで水密に接合し、洗い場用防水パン及び浴槽の各縁部に設けた仕切部材用載置部に壁パネル等の仕切部材を載置し、エプロンの洗い場側となる手前面の両側に仕切部材を水密に当接し、洗い場用防水パン、浴槽、エプロン及び仕切部材で浴室内空間と浴室外空間とに区画し、浴室内空間から浴室外空間へ漏水させないようにしたものがある。この浴室構造（前者）には、浴槽用防水パンを用いない分だけ安価に提供できる。
【０００３】
別の浴室構造としては、浴槽を設置した箇所からの漏水で下階等が被害を受けないようにするために、浴槽用防水パンを併用した従来構造（後者）がある（特許文献１）。
【特許文献１】特開平２−１２８７２４号公報
【０００４】
後者は、防水パンに洗い場部と浴槽載置部を区画形成し、浴槽載置部に浴槽を設置し、浴槽の縁部に設けた仕切部材用載置部に浴槽側上方仕切部材を載置すると共に浴槽の仕切部材用載置部の裏側と浴槽載置部との間に浴槽側下方仕切部材を配置し、更に洗い場部の縁部に設けた仕切部材用載置部に洗い場側仕切部材を載置し、浴槽側上方仕切部材及び浴槽側下方仕切部材と洗い場側仕切部材とを突き合わることで、洗い場及び浴槽裏側からから外部へ漏水しないようにしてある。更に、後者は、洗い場部及び浴槽載置部の境界部と浴槽の上縁部との間にエプロンを配置し、洗い場から浴槽載置部を見えないようにして美観を得ている。このエプロンは、小口面側が、浴槽側下方仕切壁と洗い場側仕切部材との突き合わせ箇所の近辺に対向している。
【発明の開示】
【発明が解決しようとする課題】
【０００５】
ところで、後者は、浴槽載置部のない構造に仕様変更することができない。何故ならば、後者から浴槽載置部の部分及び浴槽側下方仕切壁を撤去をしたとき、エプロンの小口面と洗い場側仕切部材との対向する箇所で止水を完全にすることが困難なため、洗い場側から浴槽設置側へ漏水する危険があるためである。
【０００６】
また、前者は、浴槽用防水パンを用いることを考慮していないため、浴槽用防水パンを用いる構造に仕様変更することは予定されていない。
【０００７】
そこで、本発明は、前者を構築できる部材を用いて、浴槽用防水パンを用いる仕様にも変更できるようにすることで、部材を共通化して、結果的にコストの低減を図ることができる浴室構造を提供せんとするものである。
【課題を解決するための手段】
【０００８】
本発明が採用した手段は、配置した洗い場用防水パンと浴槽とを、覆蓋できる作業口を有するエプロンで水密に接合し、洗い場用防水パン及び浴槽の各縁部に設けた仕切部材用載置部に壁パネル等の仕切部材を載置し、エプロンの洗い場側となる手前面の両側に仕切部材を水密に当接し、洗い場用防水パン、浴槽、エプロン及び仕切部材で浴室内空間と浴室外空間とに区画した浴室構造において、浴室外空間に配置した浴槽用防水パンの上に前記浴槽を設置し、浴槽用防水パンは、底壁と底壁の四周から立設する起立周壁とを一体に成形し、洗い場寄りとなる手前側を除く三方の起立周壁の縁部と、三方の起立周壁より背丈の低い手前側の起立周壁の縁部とで接合用口部を形成し、該接合用口部を形成するこれら縁部を、洗い場用防水パン、浴槽及びエプロンの浴室外空間に面する部分の対応する箇所に水密に接合したものであり、浴槽用防水パン、浴槽及びエプロンで囲まれる囲繞空間を浴槽裏側に形成したことを特徴とする浴室構造である。
【０００９】
前記浴槽用防水パンの接合用口部を形成する縁部の接合は、例えば、前記洗い場用防水パンの浴室外空間へ延設した接合片に、前記浴槽用防水パンの手前側の起立周壁の縁部に設けた接合片を接合し、前記エプロンの浴室外空間へ延設した接合片に、前記浴槽用防水パンの三方の起立周壁のうちの対峙する両方の起立周壁の手前側の縁部に設けた接合片を接合し、前記浴槽の浴室外空間に面する箇所に、前記浴槽用防水パンは三方の起立周壁の上方側の縁部を接合して行われる。また、また、洗い場用防水パンと前記浴槽用防水パンと前記エプロンとの位置決めが正確となるように、前記洗い場用防水パンの浴室外空間へ延設した接合片、前記浴槽用防水パンの手前側の起立周壁の縁部に設けた接合片、及び、前記エプロンの浴室外空間へ延設した下方側の接合片の三つをボルト・ナットからなる連結具で一緒に連結することもある。
【発明の効果】
【００１０】
本発明に係る浴室構造は、設置した洗い場用防水パンと浴槽とを、覆蓋できる作業口を有するエプロンで水密に接合し、洗い場用防水パン及び浴槽の各縁部に設けた仕切部材用載置部に壁パネル等の仕切部材を載置し、エプロンの洗い場側となる手前面の両側に仕切部材を水密に当接し、洗い場用防水パン、浴槽、エプロン及び仕切部材で浴室内空間と浴室外空間とに区画した構造を採用することで、浴槽用防水パンを用いない浴室構造を流用することが可能となり、浴槽用防水パンを用いない浴室構造を構築する部材を利用して、浴槽用防水パン、浴槽及びエプロンで囲まれる囲繞空間を浴槽裏側に形成する浴室構造を得ることができる。その結果、本発明に係る浴室構造は、浴槽用防水パンを用いない浴室構造を構築する部材と共通化することで、コストの低減を図ることができる。
【発明を実施するための最良の形態】
【００１１】
本発明に係る浴室構造（以下、「本発明浴室構造」と言う。）を図面に示す実施形態に基づいて説明する。
【００１２】
図１乃至図１２は本発明浴室構造の実施の形態を示すものであり、図１は完成した浴室１の左側断面図であって図５の（Ｂ）のハーハ線の位置で断面視したものであり、図２は図１のイ部を拡大した左側断面図、図３は図１のロ部を拡大した左側断面図、図４は浴槽２、浴槽用防水パン３、洗い場用防水パン４及びエプロン５を分離して示す斜視図、図５の（Ａ）は浴槽２、浴槽用防水パン３、洗い場用防水パン４及びエプロン５を接合した状態を示す斜視図、図５の（Ｂ）は浴槽２及び洗い場用防水パン４の仕切部材用載置部２ｂ，２ｃ，２ｄ，４ｃに壁パネルからなる仕切部材６Ａ−１〜６Ａ−３を載置した状態を示す斜視図、図６は浴槽用防水パン３、洗い場用防水パン４及びエプロン５を分離した状態の要部を拡大して示す斜視図、図７は浴槽用防水パン３の接合部と洗い場用防水パン４との接合部を合わせた状態の要部を拡大して示す斜視図、図８は浴槽用防水パン３、洗い場用防水パン４及びエプロン５をボルト１３及び止付具３０で接合している途中の状態の要部を拡大して示す斜視図、図９の（Ａ）は浴槽２を一部切欠いて止水状態を示す平面図であって切欠いた断面部分は図２及び図３のニーニ線で断面視したものであり、図９の（Ｂ）は同図の（Ａ）から止水材２６，２７，３３を無くした状態を示す平面図、図１０の（Ａ）（Ｂ）並びに図１１の（Ａ）（Ｂ）は浴槽用防水パン３と浴槽２との接合構造の別態様を示す側面断面図、図１２は洗い場用防水パン４と浴槽用防水パン３とエプロン５とを接合する構造の別態様を拡大して示す左側断面図であって、同図の（Ａ）は洗い場用防水パン４，浴槽用防水パン３及びエプロン５を分離した状態を示し、同図の（Ｂ）はこれらを接合した状態を示すものである。図１３の（Ａ）（Ｂ）は浴槽用防水パン３を用いない浴室構造を拡大して示すものであって、同図の（Ａ）は図１のイ部に対応する部分の左側断面図、同図の（Ｂ）は図１のロ部に対応する部分の左側断面図、同図の（Ｃ）は（Ａ）のホ部を拡大した左側断面図、同図の（Ｄ）（Ｅ）は洗い場用防水パン４とエプロン５との接合に用いる係止金具付きナツト３５の断面図及び平面図である。なお、図中における「前」「後」「左」及び「右」は各図に示すとおりである。
【００１３】
本実施の形態に係る本発明浴室構造１は、図１に示す如く、浴槽２、浴槽用防水パン３、洗い場用防水パン４、エプロン５、仕切部材６、架台７及び天井部材８を備えている。架台７は、浴槽２を支持する支持部７ａ及び洗い場用防水パン４を支持する支持部７ｂを備え、設置する浴槽２ａと洗い場用防水パン４の相対的な位置関係を決定している。天井部材８は、立設する仕切部材６の上端に配設されている。本発明浴室構造１は、浴槽２、洗い場用防水パン４、エプロン５、仕切部材６及び天井部材８により、内側の浴室内空間Ｐと外側の浴室外空間Ｑとに区画してある。
【００１４】
本発明浴室構造１の特徴とするところは、浴室外空間Ｑに配置した浴槽用防水パン３の上に浴槽２を設置し、浴槽用防水パン３が、底壁３ａと底壁３ａの四周から立設する起立周壁３ｂ〜３ｅとを一体に成形し、洗い場寄りとなる手前側を除く三方の起立周壁３ｂ，３ｃ，３ｄの縁部と、三方の起立周壁３ｂ，３ｃ，３ｄより背丈の低い手前側の起立周壁３ｅの縁部とで接合用口部３ｆを形成し、該接合用口部３ｆを形成するこれら縁部を、洗い場用防水パン４、浴槽２及びエプロン５の浴室外空間Ｑに面する部分の対応する箇所に止水材９，１０等で水密に接合したものであり、浴槽用防水パン３、浴槽２及びエプロン５で囲まれる防水性のある囲繞空間Ｒを浴槽２の裏側に形成したことである。
【００１５】
前記浴槽２は、図４、図２及び図３に示す如く、繊維強化プラスチック（ＦＲＰ）やステンレススチール等の素材から成形され、底部に設けた脚部２ａと、上方の三方（左右の両方及び後方）の縁部に設けた仕切部材用載置部２ｂ，２ｃ，２ｄと、上方の一方（前方）の縁部に形成された水平部２ｍ及び前垂部２ｅとを備えている。更に、浴槽２は、図２、図３及び図９（Ａ）に示す如く、上方の一方（前方）の水平部２ｍの下面から下方へ突出して左右方向へ延設した接合部２ｆと、仕切部材用載置部２ｂ，２ｃ，２ｄの下面側に設けた補強用突片２ｇ、補強用リブ２ｈ及び止水材格納用突片２ｊと、載置部２ｂ，２ｃ，２ｄの上面側周縁に突設した起立片２ｋとを備えている。接合部２ｆ（図２参照）は、エプロン接合用ボルト１９（本例は、蝶ボルトを使用）を左右方向へ適宜間隔毎に螺合できるようになっている。浴槽２は、図４、図２及び図９の（Ａ）（Ｂ）に示す如く、手前の左右両側の各々に、後述するエプロン５の左右の各嵌合用突起部５ａ−４を外嵌するための外嵌部２ｐが設けられている。なお、前記エプロン接合用ボルト１９は、図示は省略しが、浴槽２の接合部２ｆに左右方向へ適宜間隔毎に埋め込んで、接合部２ｆから下方へ突出するように配設し、エプロン接合時にナットを螺着させるようにすることもある。
【００１６】
前記浴槽用防水パン３は、図４に示す如く、ポリプロピレン，ＡＢＳ等の熱可塑性プラスチック材料を射出成形する等して得たものであって、底壁３ａと、底壁３ａの四周から立設する起立周壁３ｂ〜３ｅとを一体に成形し、洗い場寄りとなる手前側を除く三方（左右の両方及び後方）の起立周壁３ｂ，３ｃ，３ｄの縁部と、三方の起立周壁３ｂ，３ｃ，３ｄより背丈の低い一方（前方）の起立周壁３ｅの縁部とで上方の接合用口部３ｆ−１と前方の接合用口部３ｆ−２とからなる接合用口部３ｆを形成してある。後側を除く対峙する二方（左右の両方）の起立周壁３ｂ，３ｃは、手前側の縁部に接合片３ｂ−１，３ｃ−１を段落とし又は段落としすることなく形成し、各接合片３ｂ−１，３ｃ−１にビス等の止付具３０（図８参照）を止め付けるためのビス孔等の止付孔を形成した止付部２２を適宜上下間隔毎に設けてある。背丈の低い起立周壁３ｅは、縁部に手前へ突出して左右方向へ延設した接合片３ｅ−１を形成し、接合片３ｅ−１にボルト挿通孔２８を適宜間隔毎に設けてある。浴槽用防水パン３は、底壁３ａの上に前記浴槽２を設置するが、架台７（図１参照）の支持部７ａの上に浴槽脚部２ａを位置させて浴槽２の荷重を架台７で支持させるようにしているので、浴槽２や洗い場用防水パン４に比べて大きな曲げ強度を必要とせず、搬送、浴室構築時の作業に耐える強度が少なくとも有ればよいことになる。
【００１７】
前記浴槽用防水パン３は、図示は省略したが、浴槽２から浴槽用防水パン３の外側へ延設する排水管や循環管等の配管が挿通する配管用挿通孔を設け、配管用挿通孔と配管との間を止水材等で止水するようにしてある。前記浴槽２の設置は、架台７に設けた連結部（図示省略）に、浴槽用防水パン３を介して浴槽２の脚部２ａを載置して行う。
【００１８】
前記洗い場用防水パン４は、図４に示す如く、繊維強化プラスチック（ＦＲＰ）やステンレススチール等の材料から成形され、床部４ａと、床部４ａの三方（左右の両方及び前方）の縁部に形成した仕切部材用載置部４ｂ，４ｃ，４ｄと、一方（後方）の縁部に形成した接合部４ｅと、トラップを内蔵した排水口部材４ｇとを備えている。一方側（後方側）の接合部４ｅは、図２及び図６に示す如く、床部４ａに連接して起立する起立壁４ｅ−１と、起立壁４ｅ−１に連接して後方へ突設する第１接合片４ｅ−２と、第１接合片４ｅ−２に連接して更に後方へ段落ちして突設する第２接合片４ｅ−３とを備え、起立壁４ｅ−１，第１接合片４ｅ−２及び第２接合片４ｅ−３を左右方向へ延設してある。第１接合片４ｅ−２及び第２接合片４ｅ−３は、図４及び図６に示す如く、その左右両端側の各々から連接片４ｆが起立して延設され、各連接片４ｆを左右の仕切部材用載置部４ｂ，４ｃの起立片４ｂ−１，４ｃ−１に連接してある。各連接片４ｆは、後述する止水材９，１０（図６参照）を取り付けて、洗い場用防水パン４と浴槽用防水パン３との間の止水と、洗い場用防水パン４とエプロン５との間の止水を確保するようにしてある。第２接合片４ｅ−３は、その下面にナット１１が取付具１２を用いて適宜間隔毎に配設されると共に、各ナット１１に対応する位置にボルト挿通孔２３が穿設されている。
【００１９】
前記エプロン５は、図４に示す如く、繊維強化プラスチック（ＦＲＰ）から成形し、又はポリブチレンテレフタレート（ＰＢＴ）樹脂やＡＢＳ等のプラスチック材料を射出成形する等して得た本体部５ａと、ポリプロピレン，ＡＢＳ等のプラスチック材料を射出成形する等して得た蓋部５ｂ及び化粧カバー５ｃとを備えている。本体部５ａは、図２及び図４に示す如く、作業口５ａ−６を開設した主仕切部５ａ−１と、主仕切部５ａ−１の左右両縁から前方へ突設する袖部５ａ−２，５ａ−２と、主仕切部５ａ−１の上縁から前方へ突設して左右の袖部５ａ−２，５ａ−２の間に設けた化粧カバー収納用突出部５ａ−３と、左右の袖部５ａ−２，５ａ−２の各上方に突設した嵌合用突起部５ａ−４，５ａ−４と、主仕切部５ａ−１の下縁から後方へ突設した下方接合片５ａ−５（図２参照）と、左右の袖部５ａ−２，５ａ−２及び嵌合用突起部５ａ−４，５ａ−４の各々から後方へ連続的に突設した側方接合片５ａ−７，５ａ−７と、化粧カバー収納用突出部５ａ−３の上面から上方へ突設して左右の嵌合用突起部５ａ−４，５ａ−４の間に設けた止水片５ａ−８とを備えている。下方接合片５ａ−５は、図６に示す如く、前記洗い場用防水パン４の第２接合片４ｅ−３の下面に配設した各ナット１１に対応する位置に、ボルト挿通孔２４が穿設されている。また、左右の側方接合片５ａ−７，５ａ−７には、図４及び図６に示す如く、前記浴槽用防水パン３の左右の接合片３ｂ−１，３ｃ−１に設けた各止付部２２に対応するように、止付用挿通孔２５を設けてある。更に、化粧カバー収納用突出部５ａ−３は、その上面に、前記エプロン接合用ボルト１９が挿通するボルト挿通孔３８が穿設されている。
【００２０】
前記エプロン５の蓋部５ｂは、図２に示す如く、本体部５ａの作業口５ａ−６を覆蓋するものであって、本体部５ａに止水材１５を介してビス等の止付具１４で着脱自在に取付られている。前記化粧カバー５ｃは、本体部５ａの主仕切部５ａ−１を覆うように配置されて、左右の袖部５ａ−２，５ａ−２と上方の化粧カバー収納用突出部５ａ−３とで囲まれるようにして納まり、後面側に複数個取着した係止片１７を仕切部５ａ−１に設けた係止部１６に係止させると共に、下方の接合片５ｃ−１を主仕切部５ａ−１にビス等の止付具１８で接合して着脱自在となっている。
【００２１】
前記仕切部材６は、図５に示す如く、壁パネル６Ａ（６Ａ−１，６Ａ−２，６Ａ−３）や入退室用扉（図示略）等から構成され、浴槽２の仕切部材用載置部２ｂ，２ｃ，２ｄや洗い場用防水パン４の仕切部材用載置部４ｂ，４ｃ，４ｄに載置して起立した状態で設けられている。
【００２２】
前記浴槽２、浴槽用防水パン３、洗い場用防水パン４及びエプロン５は、所定位置に止水材が配置されて接合される。浴槽２とエプロン５は、図２及び図９（Ａ）に示す如く、浴槽２の左右方向に延びる水平部２ｍの下面、前垂部２ｅ、接合部２ｆ及びエプロン５の化粧カバー収納用突出部５ａ−３の上面とで囲まれるように止水材２７を配置して、止水材２７へエプロン５の止水片５ａ−８を食い込ませて止水してある。止水材２７は、浴槽２の水平部２ｍの下面、前垂部２ｅ及び接合部２ｆで囲まれる箇所へ予め挿着する等して配置しておくか、または、エプロン５の化粧カバー収納用突出部５ａ−３の上面に貼り付ける等して配置しておくことができる（図８参照）。
【００２３】
前記浴槽用防水パン３とエプロン５は、図６及び図７に示す如く、左右の接合片３ｂ−１（図４参照），３ｃ−１の上下端の間の後方寄りに止水材４７を配置すると共に、接合片３ｂ−１，３ｃ−１の下端側各々に止水材３９（図７参照）を配置して、浴槽用防水パン３の左右の接合片３ｂ−１，３ｃ−１とエプロン５の左右の側方接合片５ａ−７，５ａ−７（図８参照）との間を止水してある。
【００２４】
前記浴槽用防水パン３と洗い場用防水パン４は、図６に示す如く、洗い場用防水パン４の水平な第２接合片４ｅ−３の上面から左右の起立した連接片４ｆ，４ｆへ至る箇所に止水材１０を配置して、洗い場用防水パン４の第２接合片４ｅ−３及び左右の起立した連接片４ｆ，４ｆと、浴槽用防水パン３の接合片３ｅ−１及び左右の接合片３ｂ−１（図４参照），３ｃ−１の下端寄りとの間を止水してある。
【００２５】
前記洗い場用防水パン４とエプロン５は、図６に示す如く、洗い場用防水パン４の水平な第１接合片４ｅ−２の上面から左右両側の起立した連接片４ｆ，４ｆへ至る箇所に止水材９を配置して、洗い場用防水パン４の第１接合片４ｅ−２及び左右の起立した連接片４ｆ，４ｆと、エプロン５の下方接合片５ａ−５及び左右の側方接合片５ａ−７，５ａ−７との間を止水してある。
【００２６】
前記浴槽２と浴槽用防水パン３とエプロン５は、図８及び図９の（Ａ）（Ｂ）に示す如く、エプロン５の左右の各嵌合用突起部５ａ−４の上面から左右の各袖部５ａ−２の手前面の下方端へ至り止水材２６を貼着する等して配置すると共に、浴槽用防水パン３の三方（左右の両方及び後方）の起立周壁３ｂ，３ｃ，３ｄ（図４参照）の上縁部に止水材３３を貼着する（図８参照）等して配置して、浴槽２の仕切部材用載置部２ｂ，２ｃ，２ｄ及び左右の外嵌部２ｐ，２ｐの各下面と、浴槽用防水パン３の三方（左右の両方及び後方）の起立周壁３ｂ，３ｃ，３ｄの上縁部及びエプロン５の左右の嵌合用突起部５ａ−４，５ａ−４の上面との間を止水してある。
【００２７】
前記エプロン５と仕切部材６Ａ−１は、図５及び図２に示す如く、エプロン５の左右の各袖部５ａ−２の手前面に止水材２６を貼着する等して配置して、エプロン５の各袖部５ａ−２の手前面と、洗い場用防水パン４の仕切部材用載置部４ｃに載置した壁パネルからなる仕切部材６Ａ−１の側面との突き合わせ部を止水してある。なお、図示は省略したが、洗い場用防水パン４の左側の仕切部材用載置部４ｂに載置した壁パネル又は入退室用扉等から仕切部材６は、同様にして、エプロン５の各袖部５ａ−２の手前面との突き合わせ部を止水材２６で止水してある。
【００２８】
前記浴槽２、浴槽用防水パン３、洗い場用防水パン４及びエプロン５の接合構造は、次の通りである。架台７の上に設置する浴槽用防水パン３と洗い場用防水パン４とは、図６及び図７に示すように、洗い場用防水パン４の水平な第２接合片４ｅ−３の上に、浴槽用防水パン３の手前の水平な接合片３ｅ−１を止水材１０を介して重ね合わせることで、洗い場用防水パン４の左右の起立した連接片４ｆ，４ｆに浴槽用防水パン３の左右の接合片３ｂ−１，３ｃ−１を止水材１０を介して同時に重ね合わせてある。浴槽用防水パン３及び洗い場用防水パン４とエプロン５とは、図７、図８及び図２に示すように、洗い場用防水パン４の水平な第１接合片４ｅ−２の上に、エプロン５の下方接合片５ａ−５を止水材９を介して重ね合わせると共に、浴槽用防水パン３の左右の接合片３ｂ−１，３ｃ−１に、エプロン５の左右の側方接合片５ａ−７，５ａ−７を止水材４７を介して重ね合わせる。このとき、エプロン５の左右の側方接合片５ａ−７，５ａ−７と下方接合片５ａ−５との境界部は、浴槽用防水パン３の左右の各接合片３ｂ−１，３ｃ−１と接合片３ｅ−１との境界部に止水材３９を介して重ね合わせることになる。なお、止水材３９は、止水材９と止水材４７に跨がって配置され、止水を完全なもとのしている（図７参照）。
【００２９】
前記浴槽用防水パン３及びエプロン５と浴槽２とは、図２，図３及び図９に示す如く、設置した浴槽用防水パン３の上に更に浴槽２を設置することで、浴槽２の載置部２ｂ〜２ｄの下面に、浴槽用防水パン３の起立周壁３ｂ〜３ｃの上縁を止水材３３を介して当接させる（図３参照）と共に、浴槽２の左右の外嵌部２ｐ，２ｐの各下面に、エプロン５の左右の嵌合用突起部５ａ−４，５ａ−４の各上面を止水材２６を介して当接させ（図９参照）、更に、浴槽２の手前の水平部２ｍの下面に設けた止水材２７に、エプロン５の止水片５ａ−８を食い込ませる（図２参照）ことになる。
【００３０】
各止水材を介して要部を重ね合わせた浴槽用防水パン３、洗い場用防水パン４及びエプロン５は、図８及び図２に示す如く、上方からボルト１３を、座金３１、エプロン５の下方接合片５ａ−５のボルト挿通孔２４、リング状の止水材２９（図７参照）、浴槽用防水パン３の手前の接合片３ｅ−１のボルト挿通孔２８（図７参照）及び洗い場用防水パン４の第２接合片４ｅ−３のボルト挿通孔２３（図６参照）へ挿入して、第２接合片４ｅ−３の下面側に配置されているナット１１（図６及び図２参照）に螺着して緊締し、エプロン５の下方接合片５ａ−５と浴槽用防水パン３の手前の接合片３ｅ−１と洗い場用防水パン４の第２接合片４ｅ−３とを止水材９，１０，２９を介して水密に接合する。このボルト１３の螺着と並行して、図８及び図２に示す如く、ビス等の止付具３０を、リング状の止水材３２及びエプロン５の止付用挿通孔２５へ挿通して浴槽用防水パン３の止付部２２へ螺着する等して止め付けて、エプロン５の左右の側方接合片５ａ−７，５ａ−７を浴槽用防水パン３の接合片３ｂ−１，３ｃ−１へ接合する。更に、浴槽２及びエプロン５は、浴槽用防水パン３上に浴槽２を設置し、複数本のエプロン接合用ボルト１９をエプロン５の上方に設けられているボルト挿通孔３８を挿通して浴槽２の接合部２ｆへ螺着（図２参照）して、両者を接合する。なお、エプロン接合用ボルト１９が浴槽２の接合部２ｆに埋め込まれて接合部２ｆから下方へ突出するように配設されているときには、浴槽用防水パン３上に浴槽２を設置するときに、エプロン接合用ボルト１９がエプロン５のボルト挿通孔３８を挿通して化粧カバー収納用突出部５ａ−３の下面側へ突出することになるので、突出したボルト１９にナット（図示略）を螺着して緊締することで、浴槽２及びエプロン５が接合されることになる。これらボルト１３、止付具３０及びボルト１９（又はナット）の止め付け作業は、エプロン５の開口した作業口５ａ−６，５ａ−６を介して浴室内空間Ｐ側から行うことができる。エプロン５は、止め付け作業が完了したならば、図２示す如く、各作業口５ａ−６を蓋部５ｂで止水材１５を介して覆蓋される。
【００３１】
前記仕切部材６の建て込は、図５に示す如く、浴槽２の仕切部材用載置部２ｂ，２ｃ，２ｄ及び洗い場用防水パン４の仕切部材用載置部４ｂ，４ｃ，４ｄに、壁パネル６Ａ（６Ａ−１〜６Ａ−３）や入退室用扉（図示略）等から構成される仕切部材６を起立状態で載置して行われる。洗い場用防水パン４の仕切部材用載置部４ｂ，４ｃに載置した壁パネル６Ａ−１や入退室用扉（図示略）等から構成される仕切部材６は、エプロン５の左右の各袖部５ａ−２の手前面に止水材２６を介して水密に接合される。浴槽２及び洗い場用防水パン４と仕切部材６との間の止水は、通常行われるコーキング材充填で行われる。
【００３２】
本発明浴室構造１は、上述の如く前記浴槽２、浴槽用防水パン３、洗い場用防水パン４エプロン５及び仕切部材６（６Ａ−１〜６Ａ−３）が止水状態で接合されて、図１に示す如く、浴槽２、洗い場用防水パン４、エプロン５及び仕切部材６（６Ａ−１）で囲まれる浴室内空間Ｐと囲まれない浴室外空間Ｑとに区画されると共に、浴室外空間Ｑに、浴槽２、浴槽用防水パン３及びエプロン５で水密に囲繞される囲繞空間Ｒが形成される。囲繞空間Ｒは、配管から漏れる等した水が飛散しても、浴槽２、浴槽用防水パン３及びエプロン５で受け止められ、浴槽用防水パン３の内側に連通する排水管（図示省略）から外部へ排出れるため、囲繞空間Ｒ以外の浴室外空間Ｑの部分へ漏水することは決してない。
【００３３】
本発明浴室構造１を浴槽用防水パン３を用いない浴室構造に転用する場合には、図１３に示す如く、架台７の上に配置した浴槽２と洗い場用防水パン４をエプロン５で接合するる。洗い場用防水パン４とエプロン５とは、洗い場用防水パン４の水平な第１接合片４ｅ−２の上にエプロン５の下方接合片５ａ−５を止水材９を介して重ね合わせる。浴槽２とエプロン５は、図２及び図９（Ａ）に示す如く、浴槽２の左右方向に延びる水平部２ｍの下面、前垂部２ｅ、接合部２ｆ及びエプロン５の化粧カバー収納用突出部５ａ−３の上面とで囲まれるように止水材２７を配置して、止水材２７へエプロン５の止水片５ａ−８を食い込ませて止水する。洗い場用防水パン４の水平な第２接合片４ｅ−３とエプロン５の下方接合片５ａ−５とをボルト１３で締結するときには、両者の間隙が大きいため、デスタント３４とナット１１を取付具１２で一体化した係止金具３５を、洗い場用防水パン４の水平な第２接合片４ｅ−３に係止し、ナット１１にボルト１３を締結して止水材９を圧着する。
【００３４】
前記浴槽２に対する浴槽用防水パン３の三方（左右両方及び後方）の起立周壁３ｂ，３ｃ，３ｄの上縁部の接合は、図１０及び図１１に示す別態様に変更することも可能である。別態様は、図１０の（Ａ）に示す如く、浴槽用防水パン３の起立周壁３ｄ（３ｂ，３ｃも同様）の上縁部に凹部３ｇを設けて止水材４５を収納させ、浴槽２の載置部２ｄ（２ｂ，２ｃも同様）の下面に止水片２ｎを突設させて、止水材４５へ止水片２ｎを食い込ませて止水してある。
【００３５】
また、異なる別態様は、図１０の（Ｂ）に示す如く、浴槽用防水パン３の起立周壁３ｄ（３ｂ，３ｃも同様）の上縁部に係止片３ｈを延設し、浴槽２の突片２ｇと浴槽用防水パン３の起立周壁３ｄ（３ｂ，３ｃも同様）との間に止水材４６を配置すると共に、係止片３ｈと起立片２ｋを適宜間隔毎にクリップ３６で接合する。クリップ３６による接合作業は、仕切部材６を載置する前の浴槽２の内側から行うことができる。
【００３６】
更に、異なる別態様は、図１１の（Ａ）に示す如く、浴槽２の突片２ｇと浴槽用防水パン３の起立周壁３ｄ（３ｂ，３ｃも同様）との間に止水材４６を配置すると共に、係止片３ｈと起立片２ｋとを適宜間隔毎にビス等からなる取付具３７で接合する。取付具３７による接合作業は、仕切部材６を載置する前の浴槽２の内側から行うことができる。また、異なる別態様は、図１１の（Ｂ）に示す如く、浴槽２の突片２ｇに粘着力の強い止水材４８で起立周壁３ｄ（３ｂ，３ｃも同様）を貼着して接合することもある。
【００３７】
前記浴槽用防水パン３、洗い場用防水パン４及びエプロン５の接合構造は、図８に示す如く、上方からボルト１３を挿通して洗い場用防水パン４の第２接合片４ｅ−３の下面側に配置されているナット１１（図６及び図２参照）に螺着する構造に限定されるものではなく、図１２の（Ａ）（Ｂ）に示す別態様の接合構造に変更することも可能である。この別態様の接合構造は、洗い場用防水パン４の第２接合片４ｅ−３に設けられた複数個のボルト挿通孔２３へ下方から挿通した各ボルト１３をナット４２（本例は座付きナット）で螺着緊締して、洗い場用防水パン４の第２接合片４ｅ−３に複数本のボルト１３を適宜間隔毎に予め立設させておき、先ず洗い場用防水パン４に浴槽用防水パン３を接合するときに、浴槽用防水パン３の接合片３ｅ−１に設けられている複数個のボルト挿通孔２８に各ボルト１３を挿通させた後に、各ボルト１３にリング状の止水材４９及び平座金５０を介してナット４３を螺着することで、洗い場用防水パン４の第２接合片４ｅ−３に浴槽用防水パン３の接合片３ｅ−１を複数組のボルト１３及びナット４２で接合し、次に第２接合片４ｅ−３と接合片３ｅ−１との接合箇所にエプロン５を接合するときに、エプロン５の下方接合片５ａ−５に設けられている複数個の挿通孔２４（図８に示すボルト挿通孔２４よりも大径に開設してナット４３を挿入できるようにしてある。）に各ボルト１３と共に螺着済みナット４３を挿通させた後に、各ボルト１３にナット（本例は座付き袋ナット）４４を螺着することで、洗い場用防水パン４と浴槽用防水パン３とエプロン５を接合できる。この接合構造は、浴槽用防水パン３の接合片３ｅ−１のボルト挿通孔２８の開口周縁に止水材４９を圧着してボルト挿通孔２８を止水することで、囲繞空間Ｒから浴室外空間Ｑへ漏水させないようにしてある。また、この接合構造は、洗い場用防水パン４の第２接合片４ｅ−３に対して浴槽用防水パン３の接合片３ｅ−１及びエプロン５の下方接合片５ａ−５を重ね合わせるときに、洗い場用防水パン４の第２接合片４ｅ−３に予め立設した複数本のボルト１３の各々に、浴槽用防水パン３の各挿通孔２８及びエプロン５の各ボルト挿通孔２４を挿通させるようにしてあるため、三者の相互間の位置決めを確実に行える利点がある。なお、別態様の接合構造では、洗い場用防水パン４に設けた凹溝部４ｅ−４に止水材１０を保持させ、浴槽用防水パン３の接合片３ｅ−１から下垂した下垂片３ｅ−２を止水材１０へ食い込ませるようにして止水できるようにしてある。
【００３８】
前記止水材９，１０，２６，２９，３３，３９，４５，４６，４７，４８，４９等は、ブチルゴムや発泡した軟質樹脂等からなるテープ状又はリング状等のものが用いられる。      
【００３９】
以上詳述の如く、本発明浴室構造１は、設置した洗い場用防水パン４と浴槽２とを、覆蓋できる作業口５ａ−６を有するエプロン５で水密に接合し、洗い場用防水パン４及び浴槽２の各縁部に設けた仕切部材用載置部４ｂ，４ｃ，４ｄ（２ｂ，２ｃ，２ｄ）に壁パネル等の仕切部材６Ａ１〜６Ａ３を載置し、エプロン５の洗い場側となる手前面の両側の袖部５ａ−２，５ａ−２に仕切部材６Ａ−１や入退室用扉（図示略）を水密に当接し、洗い場用防水パン４、浴槽２、エプロン５及び仕切部材６で浴室内空間Ｐと浴室外空間Ｑとに区画した構造を採用することで、浴槽用防水パン３を用いない浴室構造（図１３参照）を流用することが可能となり、浴槽用防水パン３を用いない浴室構造を構築する部材を利用して、浴槽用防水パン３、浴槽２及びエプロン５で囲まれる囲繞空間Ｒを浴槽２の裏側に形成する浴室構造を得ることができる。その結果、本発明浴室構造１は、浴槽用防水パン３を用いない浴室構造を構築する部材と共通化することで、コストの低減を図ることができる。
【図面の簡単な説明】
【００４０】
【図１】本発明浴室構造の実施の形態を示すものであり、完成した浴室の左側断面図である。
【図２】図１のイ部を拡大した左側断面図である。
【図３】図１のロ部を拡大した左側断面図である。
【図４】浴槽２、浴槽用防水パン３、洗い場用防水パン４及びエプロン５を分離して示す斜視図である。
【図５】（Ａ）は浴槽２、浴槽用防水パン３、洗い場用防水パン４及びエプロン５を接合した状態を示す斜視図、（Ｂ）は浴槽２及び洗い場用防水パン４の仕切部材用載置部２ｂ，２ｃ，２ｄ，４ｃに壁パネルからなる仕切部材６Ａ−１〜６Ａ−３を載置した状態を示す斜視図である。
【図６】浴槽用防水パン３、洗い場用防水パン４及びエプロン５を分離した状態の要部を拡大して示す斜視図である。
【図７】浴槽用防水パン３の接合部と洗い場用防水パン４との接合部を合わせた状態の要部を拡大して示す斜視図である。
【図８】浴槽用防水パン３、洗い場用防水パン４及びエプロン５をボルト１３及び止付具３０で接合している途中の状態の要部を拡大して示す斜視図である。
【図９】（Ａ）は浴槽２を一部切欠いて止水状態を示す平面図であって切欠いた断面部分は図２及び図３のニーニ線で断面視したものであり、（Ｂ）は（Ａ）から止水材２６，２７，３３を無くした状態を示す平面図である。
【図１０】（Ａ）及び（Ｂ）は浴槽用防水パン３と浴槽２との接合構造の別態様を示す側面断面図である。
【図１１】（Ａ）及び（Ｂ）は浴槽用防水パン３と浴槽２との接合構造の別態様を示す側面断面図である。
【図１２】洗い場用防水パン４と浴槽用防水パン３とエプロン５とを接合する構造の別態様を拡大して示す左側断面図であって、（Ａ）は洗い場用防水パン４，浴槽用防水パン３及びエプロン５を分離した状態を示し、（Ｂ）はこれらを接合した状態を示すものである。
【図１３】（Ａ）（Ｂ）は浴槽用防水パン３を用いない浴室構造を拡大して示すものであって、（Ａ）は図１のイ部に対応する部分の左側断面図、（Ｂ）は図１のロ部に対応する部分の左側断面図、（Ｃ）は（Ａ）のホ部を拡大した左側断面図同図、（Ｄ）（Ｅ）は洗い場用防水パン４とエプロン５との接合に用いる係止金具付きナツト３５の断面図及び平面図である。
【符号の説明】
【００４１】
２…浴槽、３…浴槽用防水パン、３ａ…底壁、３ｂ〜３ｅ…起立周壁、３ｆ…接合用口部、４…洗い場用防水、５…エプロン、６…仕切部材、Ｑ…浴室外空間
【図１】
2008169599.tif 000003
【図２】
2008169599.tif 000004
【図３】
2008169599.tif 000005
【図４】
2008169599.tif 000006
【図５】
2008169599.tif 000007
【図６】
2008169599.tif 000008
【図７】
2008169599.tif 000009
【図８】
2008169599.tif 000010
【図９】
2008169599.tif 000011
【図１０】
2008169599.tif 000012
【図１１】
2008169599.tif 000013
【図１２】
2008169599.tif 000014
【図１３】
2008169599.tif 000015